(57)【要約】【課題】中間周波数のテレビ信号が必要な場合に新たな装置を必要とすることなく中間周波数のテレビ信号を出力できるようにする。【解決手段】受信周波数変換部１０により中間周波数に変換したテレビ信号を分岐し、ＩＦ増幅出力レベル調整部１４においてレベル調整してＩＦ出力端子から出力する。【選択図】  図１
2005033323.tif 000002
【特許請求の範囲】
【請求項１】
入力された所定のチャンネルのテレビ信号を中間周波数のテレビ信号に変換する周波数変換部と、
該周波数変換部に後続接続され、前記中間周波数のテレビ信号の信号処理を行う中間周波数信号処理部と、
該中間周波数信号処理部から出力される前記中間周波数のテレビ信号を所定のチャンネルのテレビ信号に周波数変換して出力する高周波変換部と、
前記中間周波数信号処理部から出力される前記中間周波数のテレビ信号をレベル調整して出力する中間周波数信号出力部と、
を備えることを特徴とするテレビ再送信装置。
【発明の詳細な説明】
【０００１】
【発明の属する技術分野】
本発明は、入力されたテレビ信号のチャンネルを任意に変換して再送信するテレビ再送信装置に関する。
【０００２】
【従来の技術】
テレビジョン放送には、地上波テレビジョン放送や衛星テレビジョン放送があり、その周波数帯域はＶＨＦ、ＵＨＦおよび衛星放送用の１２ＧＨｚ帯に及んでいる。ＣＡＴＶ（Ｃｏｍｍｕｎｉｔｙ  Ａｎｔｅｎｎａ  Ｔｅｌｅｖｉｓｉｏｎ）放送においては、これらの種々のテレビジョン放送を受信してそれぞれのテレビジョンチャンネルを再配列して再送信している。再送信に用いられるテレビ再送信装置においては、周波数変換した各チャンネルのテレビ信号のレベルを所定の送信レベルに調整していると共に、テレビ信号から雑音を除去する等の信号処理を行うことができる。
【０００３】
【発明が解決しようとする課題】
このようにテレビ再送信装置は、受信した複数のＴＶチャンネルのチャンネルを再配列して再送信できるようにされており、このため受信したＴＶチャンネルを異なるＴＶチャンネルに周波数変換することが可能とされている。従来のテレビ再送信装置は、ＴＶシグナルプロセッサにより構成されており、ＴＶシグナルプロセッサは、入力された所定のチャンネルのテレビ信号を中間周波数信号に変換する周波数変換部と、周波数変換部において周波数変換された中間周波数のテレビ信号の信号処理を行う中間周波数信号処理部と、中間周波数信号処理部から出力される中間周波数のテレビ信号を所望の出力チャンネルのテレビ信号に周波数変換して出力する高周波変換部とを備えている。
【０００４】
テレビ再送信装置では、再配列したＴＶチャンネル信号であるＲＦ信号を出力しているが、場合によっては中間周波数のテレビ信号を出力することが望まれる。このような場合には、図２に示すようにＴＶシグナルプロセッサ１００のＲＦ出力をＩＦ信号変換出力レベル調整部１０１に入力して、周波数変換することにより中間周波数のテレビ信号であるＩＦ出力を得るようにしている。しかしながら、このような方法ではＲＦ出力をＩＦ信号に周波数変換すると共にレベル調整して出力させるＩＦ信号変換出力レベル調整部１０１が新たに必要になるという問題点があった。
【０００５】
そこで、本発明は、新たな装置を必要とすることなく中間周波数のテレビ信号が必要な場合に中間周波数のテレビ信号を出力することのできるテレビ再送信装置を提供することを目的としている。
【０００６】
【課題を解決するための手段】
上記目的を達成するために、本発明のテレビ再送信装置は、入力された所定のチャンネルのテレビ信号を中間周波数のテレビ信号に変換する周波数変換部と、該周波数変換部に後続接続され、前記中間周波数のテレビ信号の信号処理を行う中間周波数信号処理部と、該中間周波数信号処理部から出力される前記中間周波数のテレビ信号を所定のチャンネルのテレビ信号に周波数変換して出力する高周波変換部と、前記中間周波数信号処理部から出力される前記中間周波数のテレビ信号をレベル調整して出力する中間周波数信号出力部とを備えている。
【０００７】
このような本発明によれば、テレビ再送信装置においてはチャンネル変換する際に、受信したテレビ信号を、一旦、中間周波数のテレビ信号に変換して処理することを利用して、その中間周波数のテレビ信号のレベルを所定のレベルに調整して出力するようにしている。同時に、所定のチャンネルに変換したＴＶチャンネル信号も出力している。これにより、テレビ再送信装置に後続させるＲＦ出力をＩＦ信号に変換して中間周波数のテレビ信号を出力させる装置を不要とすることができる。
【０００８】
【発明の実施の形態】
本発明のテレビ再送信装置の実施の形態であるＴＶシグナルプロセッサの構成を示す回路ブロックを図１に示す。
本発明にかかるＴＶシグナルプロセッサ１は、図１に示すように受信された所定のチャンネルのテレビ信号（ＴＶチャンネル信号）が入力されるＲＦ入力端子と、そのＴＶチャンネル信号をモニタするＲＦ入力モニタ端子とを有している。ＲＦ入力端子に入力されたＴＶチャンネル信号は受信周波数変換部１０において中間周波数信号（ＩＦ信号）のテレビ信号に変換される。受信周波数変換部１０から出力される中間周波数とされたテレビ信号はＩＦ信号処理部１１において映像信号と音声信号に分離され、それぞれの信号に所定の処理が行われて再びテレビ信号に合成される。再合成された中間周波数のテレビ信号は分岐部１２を介して高周波変換部１３に供給され、高周波変換部１３において所定のＴＶチャンネルに変換される。高周波変換部１３から出力されたＴＶチャンネル信号はＲＦ出力端子から出力される。
【０００９】
また、分岐部１２において分岐された中間周波数のテレビ信号は、ＩＦ増幅出力レベル調整部１４に供給され、増幅およびレベル調整されて所定の中間周波数レベルとされる。ＩＦ増幅出力レベル調整部１４から出力された所定レベルの中間周波数のテレビ信号はバンドパスフィルタ（ＢＰＦ）１５により不要帯域成分が除去されてＩＦ出力端子から出力される。なお、ＴＶシグナルプロセッサ１にはＲＦ出力端子から出力されるＴＶチャンネル信号をモニタするＲＦ出力モニタ端子と、ＩＦ出力端子から出力される中間周波数のテレビ信号をモニタするＩＦ出力モニタ端子とが設けられている。
【００１０】
本発明にかかるＴＶシグナルプロセッサ１は、図１に示すように所定チャンネルに変換したＴＶチャンネル信号と、中間周波数のテレビ信号とを出力しているため、中間周波数のテレビ信号が必要な場合にもＲＦ出力端子から出力されるＴＶチャンネル信号を中間周波数に変換する装置を不要とすることができるようになる。
なお、以上の説明ではＩＦ信号処理部１１の出力を分岐部１２において分岐してＩＦ増幅出力レベル調整部１４に供給していたが、分岐部１２に替えて分配器により分配した中間周波数のテレビ信号をＩＦ増幅出力レベル調整部１４に供給するようにしてもよい。
【００１１】
【発明の効果】
以上説明したように、本発明のテレビ再送信装置においてはチャンネル変換する際に、受信したテレビ信号を、一旦、中間周波数信号に変換して処理することを利用して、その中間周波数信号のレベルを所定のレベルに調整して出力するようにしている。同時に、所定のチャンネルに変換したＴＶチャンネル信号も出力している。これにより、テレビ再送信装置に後続させるＲＦ出力をＩＦ信号に変換して中間周波数のテレビ信号を出力させる装置を不要とすることができる。
【図面の簡単な説明】
【図１】本発明のテレビ再送信装置の実施の形態であるＴＶシグナルプロセッサの構成を示す回路ブロックを示す図である。
【図２】中間周波数のテレビ信号を得るための従来の構成を示すブロック図である。
【符号の説明】
１  シグナルプロセッサ、１０  受信周波数変換部、１１  ＩＦ信号処理部、１２  分岐部、１３  高周波変換部、１４  ＩＦ増幅出力レベル調整部、１００  シグナルプロセッサ、１０１  ＩＦ信号変換出力レベル調整部
【図１】
2005033323.tif 000003
【図２】
2005033323.tif 000004